【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
表表紙用の第１のシートに対して印刷される画像データ、本文用のシート群に対して印刷される画像データ、裏表紙用のシートであって前記第１のシートと異なる第２のシートに対して印刷される画像データを含む印刷ジョブを受信する受信手段と、
前記印刷ジョブに対してリング綴じ処理が指定されているか否かを判定する判定手段と、
前記判定手段により、前記印刷ジョブに対してリング綴じ処理が指定されていると判定されたことに基づき、当該印刷ジョブに含まれる画像データを、前記第１のシートに対する印刷と前記第２のシートに対する印刷が連続して行われるように並び替えて印刷させる制御手段と、
を備えることを特徴とする印刷装置。
【請求項２】
前記受信手段が受信した印刷ジョブでは、前記第１のシートに対して印刷される画像データ、前記シート群に対して印刷される画像データ、前記第２のシートに対して印刷される画像データの順に画像データが並べられていることを特徴とする請求項１に記載の印刷装置。
【請求項３】
前記制御手段は、前記印刷ジョブの画像データを、前記シート群に対して印刷される画像データ、前記第２のシートに対して印刷される画像データ、前記第１のシートに対して印刷される画像データの順に並べ替えることを特徴とする請求項１又は２に記載に印刷装置。
【請求項４】
前記制御手段は、前記印刷ジョブの画像データを、前記第２のシートに対して印刷される画像データ、前記第１のシートに対して印刷される画像データ、前記シート群に対して印刷される画像データの順に並べ替えることを特徴とする請求項１又は２に記載に印刷装置。
【請求項５】
前記制御手段による画像データの並び替えを行うか否かを設定する設定手段を更に備え、
前記設定手段により、前記制御手段による画像データの並び替えを行わないことが設定されている場合は、前記制御手段は、前記判定手段により、前記印刷ジョブに対してリング綴じ処理が指定されていると判定された場合であっても、当該印刷ジョブに含まれる画像データを並び替えずに印刷させることを特徴とする請求項１乃至４のいずれか１項に記載の印刷装置。
【請求項６】
前記制御手段により並び替えられた画像データを印刷する印刷手段を更に備えることを特徴とする請求項１乃至５のいずれか１項に記載の印刷装置。
【請求項７】
前記印刷手段によって印刷された印刷物に対してリング綴じ処理を実行するリング綴じ手段を更に備えることを特徴とする請求項６に記載の印刷装置。
【請求項８】
表表紙用の第１のシートに対して印刷される画像データ、本文用のシート群に対して印刷される画像データ、裏表紙用のシートであって前記第１のシートと異なる第２のシートに対して印刷される画像データを含む印刷ジョブの実行指示を受け付ける受付手段と、
前記印刷ジョブに対してリング綴じ処理が指定されているか否かを判定する判定手段と、
前記判定手段により、前記印刷ジョブに対してリング綴じ処理が指定されていると判定されたことに基づき、当該印刷ジョブに含まれる画像データを、前記第１のシートに対する印刷と前記第２のシートに対する印刷が連続して行われるように並び替えて印刷させる制御手段と、
を備えることを特徴とする情報処理装置。
【請求項９】
前記受付手段が実行指示を受け付けた印刷ジョブでは、前記第１のシートに対して印刷される画像データ、前記シート群に対して印刷される画像データ、前記第２のシートに対して印刷される画像データの順に画像データが並べられていることを特徴とする請求項８に記載の情報処理装置。
【請求項１０】
前記制御手段は、前記印刷ジョブの画像データを、前記シート群に対して印刷される画像データ、前記第２のシートに対して印刷される画像データ、前記第１のシートに対して印刷される画像データの順に並べ替えることを特徴とする請求項８又は９に記載に情報処理装置。
【請求項１１】
前記制御手段は、前記印刷ジョブの画像データを、前記第２のシートに対して印刷される画像データ、前記第１のシートに対して印刷される画像データ、前記シート群に対して印刷される画像データの順に並べ替えることを特徴とする請求項８又は９に記載に情報処理装置。
【請求項１２】
前記制御手段による画像データの並び替えを行うか否かを設定する設定手段を更に備え、
前記設定手段により、前記制御手段による画像データの並び替えを行わないことが設定されている場合は、前記制御手段は、前記判定手段により、前記印刷ジョブに対してリング綴じ処理が指定されていると判定された場合であっても、当該印刷ジョブに含まれる画像データを並び替えずに印刷させることを特徴とする請求項８乃至１１のいずれか１項に記載の情報処理装置。
【請求項１３】
前記制御手段による並び替えが行われた後の印刷ジョブを印刷装置に送信する送信手段を更に備える請求項８乃至１２のいずれか１項に記載の情報処理装置。
【請求項１４】
表表紙用の第１のシートに対して印刷される画像データ、本文用のシート群に対して印刷される画像データ、裏表紙用のシートであって前記第１のシートと異なる第２のシートに対して印刷される画像データを含む印刷ジョブを受信する受信工程と、
前記印刷ジョブに対してリング綴じ処理が指定されているか否かを判定する判定工程と、
前記判定工程で、前記印刷ジョブに対してリング綴じ処理が指定されていると判定されたことに基づき、当該印刷ジョブに含まれる画像データを、前記第１のシートに対する印刷と前記第２のシートに対する印刷が連続して行われるように並び替えて印刷させる制御工程と、
を備えることを特徴とする印刷方法。
【請求項１５】
表表紙用の第１のシートに対して印刷される画像データ、本文用のシート群に対して印刷される画像データ、裏表紙用のシートであって前記第１のシートと異なる第２のシートに対して印刷される画像データを含む印刷ジョブの実行指示を受け付ける受付工程と、
前記印刷ジョブに対してリング綴じ処理が指定されているか否かを判定する判定工程と、
前記判定工程で、前記印刷ジョブに対してリング綴じ処理が指定されていると判定されたことに基づき、当該印刷ジョブに含まれる画像データを、前記第１のシートに対する印刷と前記第２のシートに対する印刷が連続して行われるように並び替えて印刷させる制御工程と、
を備える情報処理装置の制御方法。
【請求項１６】
コンピュータを、請求項１乃至７のいずれか１項に記載の印刷装置の各手段として機能させるためのプログラム。
【請求項１７】
コンピュータを、請求項８乃至１３のいずれか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】印刷装置、情報処理装置、印刷方法、情報処理装置の制御方法、及びプログラム
【手続補正３】
【補正対象書類名】明細書
【補正対象項目名】０００１
【補正方法】変更
【補正の内容】
【０００１】
本発明は、リング綴じ処理が指定された印刷ジョブの制御に関するものである。
【手続補正４】
【補正対象書類名】明細書
【補正対象項目名】００１６
【補正方法】変更
【補正の内容】
【００１６】
本発明は、上記のような課題に鑑みてなされたものである。本発明の目的は、高品質なリング製本物を、手間をかけずに得られるようにする仕組みを提供することを目的とする。
【手続補正５】
【補正対象書類名】明細書
【補正対象項目名】００１７
【補正方法】変更
【補正の内容】
【００１７】
上記目的を達成するために本発明の一態様に係る印刷装置は以下のような構成を備える。即ち、
表表紙用の第１のシートに対して印刷される画像データ、本文用のシート群に対して印刷される画像データ、裏表紙用のシートであって前記第１のシートと異なる第２のシートに対して印刷される画像データを含む印刷ジョブを受信する受信手段と、
前記印刷ジョブに対してリング綴じ処理が指定されているか否かを判定する判定手段と、
前記判定手段により、前記印刷ジョブに対してリング綴じ処理が指定されていると判定されたことに基づき、当該印刷ジョブに含まれる画像データを、前記第１のシートに対する印刷と前記第２のシートに対する印刷が連続して行われるように並び替えて印刷させる制御手段と、を備えることを特徴とする。
【手続補正６】
【補正対象書類名】明細書
【補正対象項目名】００１８
【補正方法】変更
【補正の内容】
【００１８】
本発明によれば、高品質なリング製本物を、手間をかけずに得られる効果がある。